(57)【要約】【課題】障害発生時の予備系ＧＧＳＮユーザプレーンパケット処理装置への切り替え処理時間を短縮し、処理能力を高めるゲートウエイ装置の提供。【解決手段】  ゲートウエイ装置１に、無線ネットワーク４とコアネットワーク３とを相互接続するためにコアネットワーク３側に設けられ、コアネットワーク３側から無線ネットワーク４側へ送信されるパケット１８を処理する複数のパケット処理装置９，１０と、複数のパケット処理装置９，１０と伝送路１７を介して接続され、複数のパケット処理装置９，１０を一元管理するパケット管理装置１２とを含む。【選択図】      図１
2009278297.tif 000002
【特許請求の範囲】
【請求項１】
無線ネットワークとコアネットワークとを相互接続するために前記コアネットワーク側に設けられ、
前記コアネットワーク側から前記無線ネットワーク側へ送信されるパケットを処理する複数のパケット処理装置と、
前記複数のパケット処理装置と伝送路を介して接続され、前記複数のパケット処理装置を一元管理するパケット管理装置とを含むことを特徴とするゲートウエイ装置。
【請求項２】
前記パケット管理装置は前記コアネットワーク側から前記無線ネットワーク側へ送信されるパケットの宛先情報が集約されるルーティングテーブルを含み、前記複数のパケット処理装置から自管理装置にアクセスさせ、前記ルーティングテーブルを参照させることを特徴とする請求項１記載のゲートウエイ装置。
【請求項３】
前記複数のパケット処理装置は運用系および予備系のパケット処理装置で構成され、前記パケット管理装置は前記運用系パケット処理装置から障害通知を受信すると、前記ルーティングテーブルの参照先を前記予備系パケット処理装置に変更することを特徴とする請求項２記載のゲートウエイ装置。
【請求項４】
前記運用系パケット処理装置は複数個設けられ、前記パケット管理装置は前記運用系パケット処理装置のいずれかから障害通知を受信すると、前記ルーティングテーブルの参照先を前記予備系パケット処理装置に変更することを特徴とする請求項３記載のゲートウエイ装置。
【請求項５】
通信端末と、
前記通信端末と接続される無線ネットワークと、
前記無線ネットワークと接続されるサービング装置と、
前記サービング装置と接続されるゲートウエイ装置と、
前記ゲートウエイ装置と接続されるコアネットワークとを含み、
前記ゲートウエイ装置は、前記コアネットワーク側から前記無線ネットワーク側へ送信されるパケットを処理する複数のパケット処理装置と、
前記複数のパケット処理装置と伝送路を介して接続され、前記複数のパケット処理装置を一元管理するパケット管理装置とを含むことを特徴とする通信システム。
【請求項６】
前記パケット管理装置は前記コアネットワーク側から前記無線ネットワーク側へ送信されるパケットの宛先情報が集約されるルーティングテーブルを含み、前記複数のパケット処理装置から自管理装置にアクセスさせ、前記ルーティングテーブルを参照させることを特徴とする請求項５記載の通信システム。
【請求項７】
前記複数のパケット処理装置は運用系および予備系のパケット処理装置で構成され、前記パケット管理装置は前記運用系パケット処理装置から障害通知を受信すると、前記ルーティングテーブルの参照先を前記予備系パケット処理装置に変更することを特徴とする請求項６記載の通信システム。
【請求項８】
前記運用系パケット処理装置は複数個設けられ、前記パケット管理装置は前記運用系パケット処理装置のいずれかから障害通知を受信すると、前記ルーティングテーブルの参照先を前記予備系パケット処理装置に変更することを特徴とする請求項７記載の通信システム。
【請求項９】
無線ネットワークとコアネットワークとを相互接続するために前記コアネットワーク側に設けられるゲートウエイ装置の通信方法であって、
複数のパケット処理装置が前記コアネットワーク側から前記無線ネットワーク側へ送信されるパケットを処理し、
前記複数のパケット処理装置と伝送路を介して接続されるパケット管理装置が前記複数のパケット処理装置を一元管理することを特徴とする通信方法。
【請求項１０】
前記パケット管理装置は前記コアネットワーク側から前記無線ネットワーク側へ送信されるパケットの宛先情報が集約されるルーティングテーブルを含み、前記複数のパケット処理装置から自管理装置にアクセスさせ、前記ルーティングテーブルを参照させることを特徴とする請求項９記載の通信方法。
【請求項１１】
前記複数のパケット処理装置は運用系および予備系のパケット処理装置で構成され、前記パケット管理装置は前記運用系パケット処理装置から障害通知を受信すると、前記ルーティングテーブルの参照先を前記予備系パケット処理装置に変更することを特徴とする請求項１０記載の通信方法。
【請求項１２】
前記運用系パケット処理装置は複数個設けられ、前記パケット管理装置は前記運用系パケット処理装置のいずれかから障害通知を受信すると、前記ルーティングテーブルの参照先を前記予備系パケット処理装置に変更することを特徴とする請求項１１記載の通信方法。
【発明の詳細な説明】
【技術分野】
【０００１】
本発明は、ゲートウエイ装置およびそれを含む通信システムならびに通信方法に関し、特にモバイルコアネットワークの構成要素であるゲートウエイ装置およびそれを含む通信システムならびに通信方法に関する。
【背景技術】
【０００２】
図８は本発明に関連するゲートウエイ装置の一例の構成図である（たとえば、特許文献１参照）。以下、ゲートウエイ装置の一例としてＧＧＳＮ（Ｇａｔｅｗａｙ  ＧＰＲＳ  Ｓｕｐｐｏｒｔ  Ｎｏｄｅ）（ＧＰＲＳ：Ｇｅｎｅｒａｌ  Ｐａｃｋｅｔ  Ｒａｄｉｏ  Ｓｅｒｖｉｃｅ）装置について説明する。
【０００３】
同図を参照すると、ＧＧＳＮ装置１０１は、複数のＧＧＳＮユーザプレーンパケット処理装置１１１（１１１−１〜１１１−ｎ）（ｎは２以上の整数）と、ＧＧＳＮ呼処理装置１６とを含んで構成される。
【０００４】
また、ＧＧＳＮユーザプレーンパケット処理装置１１１の各々は、パケット転送部１１と、ルーティングテーブル１５と、パケット管理部２０とを含んで構成される。
【０００５】
各々のＧＧＳＮユーザプレーンパケット処理装置１１１では、パケット管理部２０がパケット転送部１１からのアクセスに応じて、ルーティングテーブル１５に記録されたパケットの宛先情報をパケット転送部１１に転送する。
【０００６】
パケット転送部１１はその宛先情報にしたがってパケット（一例として、ＩＰ（Ｉｎｔｅｒｎｅｔ  Ｐｒｏｔｏｃｏｌ）パケット）１８を転送する。また、パケット管理部２０はいずれかのパケット転送部１１に障害が発生した場合、そのパケット１８の転送を他のパケット転送部１１に代行させる系切り替え処理も実行する。
【０００７】
一方、特許文献２に、ＧＧＳＮはＧＰＲＳ加入者のパケットデータプロトコル（ＰＤＰ）アドレス、および本発明のルーティングテーブルに対応するルート情報を含み、ルート情報はデータネットワークからサービングＳＧＳＮ（Ｓｅｒｖｉｎｇ  ＧＰＲＳ  Ｓｕｐｐｏｒｔ  Ｎｏｄｅ）へプロトコルデータユニット（ＰＤＵ）をトンネル送信するのに使用される、ことが開示されている。
【０００８】
【特許文献１】特開２００２−１８５５００号公報
【特許文献２】特表２００２−５２５９９５号公報
【発明の開示】
【発明が解決しようとする課題】
【０００９】
しかし、上記図８に示した関連するゲートウエイ装置およびその一例の特許文献１に開示の通信システムには、次のような課題がある。
【００１０】
第１の課題は、ＧＧＳＮユーザプレーンパケット処理装置１１１ごとにパケット管理部２０を設け、各々のＧＧＳＮユーザプレーンパケット処理装置１１１でルーティングテーブル１５を管理していることである。
【００１１】
このため、装置故障等の障害発生時に、予備系ＧＧＳＮユーザプレーンパケット処理装置（ＧＧＳＮユーザプレーンパケット処理装置１１１−１〜１１１−ｎのいずれか）へルーティングテーブル１５を引き継ぐ必要がある。
【００１２】
したがって、結果として、系切り替え処理に多くの時間を要し、ＧＧＳＮ装置１０１の処理能力を高めることができない。
【００１３】
第２の課題は、上記構成であるため、ＧＧＳＮ装置１０１として多くのメモリ使用量をルーティングテーブル１５に割り当てることになり、ＧＧＳＮ装置１０１を小型化するのが困難なことである。
【００１４】
第３の課題は、上記構成であるため、トラフィックの増加に応じてＧＧＳＮユーザプレーンパケット処理装置１１１を拡張すると、ＧＧＳＮ装置１０１としてパケット管理部２０全体としての負荷も上がり、ＧＧＳＮ装置１０１あたりのパケット転送のスループットを増やすのが困難なことである。
【００１５】
そこで本発明の目的は、各々のＧＧＳＮユーザプレーンパケット処理装置で管理していたルーティングテーブルを集約し、一元管理することで、障害発生時の予備系ＧＧＳＮユーザプレーンパケット処理装置への切り替え処理時間を関連技術よりも短縮し、処理能力を関連技術よりも高めることが可能なゲートウエイ装置およびそれを含む通信システムならびに通信方法を提供することにある。
【課題を解決するための手段】
【００１６】
前記課題を解決するために本発明によるゲートウエイ装置は、無線ネットワークとコアネットワークとを相互接続するために前記コアネットワーク側に設けられ、前記コアネットワーク側から前記無線ネットワーク側へ送信されるパケットを処理する複数のパケット処理装置と、前記複数のパケット処理装置と伝送路を介して接続され、前記複数のパケット処理装置を一元管理するパケット管理装置とを含むことを特徴とする。
【００１７】
また、本発明による通信システムは、通信端末と、前記通信端末と接続される無線ネットワークと、前記無線ネットワークと接続されるサービング装置と、前記サービング装置と接続されるゲートウエイ装置と、前記ゲートウエイ装置と接続されるコアネットワークとを含み、前記ゲートウエイ装置は、前記コアネットワーク側から前記無線ネットワーク側へ送信されるパケットを処理する複数のパケット処理装置と、前記複数のパケット処理装置と伝送路を介して接続され、前記複数のパケット処理装置を一元管理するパケット管理装置とを含むことを特徴とする。
【００１８】
また、本発明による通信方法は無線ネットワークとコアネットワークとを相互接続するために前記コアネットワーク側に設けられるゲートウエイ装置の通信方法であって、複数のパケット処理装置が前記コアネットワーク側から前記無線ネットワーク側へ送信されるパケットを処理し、前記複数のパケット処理装置と伝送路を介して接続されるパケット管理装置が前記複数のパケット処理装置を一元管理することを特徴とする。
【発明の効果】
【００１９】
本発明によれば、各々のＧＧＳＮユーザプレーンパケット処理装置で管理していたルーティングテーブルを集約し、一元管理することで、障害発生時の予備系ＧＧＳＮユーザプレーンパケット処理装置への切り替え処理時間を関連技術よりも短縮し、処理能力を関連技術よりも高めることが可能なゲートウエイ装置およびそれを含む通信システムならびに通信方法が得られる。
【発明を実施するための最良の形態】
【００２０】
まず、本発明の実施形態の説明に入る前に、本発明の動作原理について説明する。図１は本発明の構成の概要を示す図である。
【００２１】
同図を参照すると、本発明に係るゲートウエイ装置１は、無線ネットワークとコアネットワークとを相互接続するためにコアネットワーク側に設けられ、コアネットワーク側から無線ネットワーク側へ送信されるパケット（一例として、ＩＰパケット）を処理する複数のパケット処理装置９および１０を含んでいる。
【００２２】
さらに、本発明に係るゲートウエイ装置１は、複数のパケット処理装置９および１０と伝送路３１を介して接続され、複数のパケット処理装置９および１０を一元管理するパケット管理装置１を含んでいる。
【００２３】
したがって、パケット管理装置１２が複数のパケット処理装置９および１０を一元管理することにより、関連技術のように、装置故障等の障害発生時にルーティングテーブル１５を運用系パケット処理装置から予備系パケット処理装置に引き継ぐといった手間を省くことが可能となる。
【００２４】
以下、本発明の実施形態について添付図面を参照しながら説明する。
【００２５】
まず、本発明の第１実施形態について説明する。図２は本発明に係るゲートウエイ装置の第１実施形態の構成図である。
【００２６】
同図を参照すると、本発明に係るゲートウエイ装置（一例として、ＧＧＳＮ装置）１は、パケット処理装置本体２５と、伝送路（一例として、シリアルインタフェース）１７と、パケット管理装置（一例として、ＧＧＳＮパケット管理装置）１２と、ＧＧＳＮ呼処理装置１６とを含んで構成される。
【００２７】
また、パケット処理装置本体２５は運用系パケット処理装置（一例として、運用系ＧＧＳＮユーザプレーンパケット処理装置）９と、予備系パケット処理装置（一例として、予備系ＧＧＳＮユーザプレーンパケット処理装置）１０とを含んでいる。
【００２８】
さらに、運用系パケット処理装置９にはパケット転送部１１が設けられ、予備系パケット処理装置１０にはパケット転送部２６が設けられる。
【００２９】
また、パケット管理装置１２には運用系パケット処理装置９に対応する運用系パケット管理部１３と、予備系パケット処理装置１０に対応する予備系パケット管理部１４とが設けられる。さらに、パケット管理装置１２には転送されるパケットの宛先情報が記録されるルーティングテーブル１５が設けられる。
【００３０】
そして、パケット処理装置本体２５内の運用系パケット処理装置９が伝送路１７を介してパケット管理装置１２内の運用系パケット管理部１３と接続される。また、運用系パケット管理部１３はＧＧＳＮ呼処理装置１６と接続される。
【００３１】
同様に、パケット処理装置本体２５内の予備系パケット処理装置１０が伝送路１７を介してパケット管理装置１２内の予備系パケット管理部１４と接続される。また、予備系パケット管理部１４はＧＧＳＮ呼処理装置１６と接続される。
【００３２】
そして、コアネットワーク側からパケット（一例として、ＩＰパケット）１８がパケット処理装置本体２５に入力され、パケット処理装置本体２５にて所定の処理がなされた後、パケット処理装置本体２５から無線ネットワーク側へパケット１８が出力される。
【００３３】
次に、ルーティングテーブル１５に記録される情報について説明する。図３は本発明に係るゲートウエイ装置のルーティングテーブルの一例の構成図である。
【００３４】
同図を参照すると、ルーティングテーブル１５には加入者番号（一例として、１〜３００）、宛先ＩＰアドレス（一例として、１，１，１，１〜３，３，３，３）、宛先ポート番号（一例として、８０〜１１０）、転送先ＳＧＳＮ（一例として、＃１〜＃３）、および参照対象となるＧＧＳＮユーザプレーン処理装置（一例として、運用系ＧＧＳＮユーザプレーンパケット処理装置＃１〜＃３）が表示されている。
【００３５】
一例として、参照対象となるＧＧＳＮユーザプレーン処理装置が第１運用系ＧＧＳＮユーザプレーンパケット処理装置＃１である場合は、転送先ＳＧＳＮが“ＳＧＳＮ＃１“、宛先ポート番号が“８０”、宛先ＩＰアドレスが“１，１，１，１”、加入者番号が“１”であることが分かる。
【００３６】
さて、図２に戻り、パケット処理装置本体２５はＧｉ６およびＧｎ７インタフェースを備えており、ユーザプレーン処理を行う。パケット処理装置本体２５にてＧｉ６インタフェースから下り方向（コアネットワークから無線ネットワーク方向）のパケット１８を順次転送する。
【００３７】
ＧＧＳＮ呼処理装置１６は制御プレーン処理を行う。また、ＧＧＳＮ呼処理装置１６はパケット管理装置１２と通信を行い、パケット管理装置１２に対して呼処理制御や経路制御等の各種設定を行う。
【００３８】
パケット管理装置１２はＧＧＳＮ呼処理装置１６より指定されたＧＴＰ（ＧＰＲＳ  Ｔｕｎｎｅｌｉｎｇ  Ｐｒｏｔｏｃｏｌ）トンネルの終端点であるＳＧＳＮ装置２（後述する）の識別情報を元に、接続している加入者情報を管理するルーティングテーブル１５を作成し、一元管理する。
【００３９】
運用系パケット処理装置９および予備系パケット処理装置１０の各々は、パケット管理装置１２と双方向の伝送路１７を介して通信を行い、パケット管理装置１２のルーティングテーブル１５を参照し、パケット１８を順次転送する。
【００４０】
このように、関連する発明（図８参照）ではＧＧＳＮユーザプレーンパケット処理装置１１１ごとにパケット管理部２０を備えていたが、本発明では１個のパケット管理装置１２に集約し、ルーティングテーブル１５を一元管理することで、装置故障等の障害発生時に予備系パケット処理装置１０への系切替え処理の時間を短縮することができ、高信頼な冗長構成方法を提供し、ゲートウエイ装置１の処理能力を関連技術よりも高めることができる。
【００４１】
また、ゲートウエイ装置１としてルーティングテーブル１５に割り当てていたメモリの使用量を関連技術よりも少なくすることができるため、ゲートウエイ装置１の小型化が可能となる。
【００４２】
また、パケット処理装置本体２５からパケット管理部２０（図８参照）を分離し、パケット処理装置本体２５の処理はパケット転送に特化されるので、トラフィックの増加に応じてパケット処理装置本体２５を柔軟に拡張することができ、ゲートウエイ装置１あたりのパケット転送のスループットを関連技術よりも増加させることが可能となる。
【００４３】
次に、第１実施形態の動作について説明する。図４は本発明に係るゲートウエイ装置の動作の一例を示すフローチャート、図５は同装置の運用系から予備系への切り替え処理の一例を示すフローチャートである。
【００４４】
まず、図４を参照しながらゲートウエイ装置の動作の一例について説明する。なお、以下運用系パケット処理装置９がパケット１８を受信する場合について説明するが、予備系パケット処理装置１０がパケット１８を受信する場合についても同様に説明できる。
【００４５】
運用系パケット処理装置９が、Ｇｉ６インタフェースから下り方向のパケット１８を受信する（ステップＳ１）。
【００４６】
次に、運用系パケット処理装置９から伝送路１７経由でパケット管理装置１２にアクセスし、ルーティングテーブル１５を参照する（ステップＳ２）。
【００４７】
そして、該当するルーティングテーブル１５が存在する場合は（ステップＳ３にて“Ｙｅｓ”の場合）、パケット管理装置１２はルーティングテーブル１５の内容を運用系パケット処理装置９のパケット転送部１１に伝送路１７経由で送信する（ステップＳ４）。
【００４８】
パケット転送部１１はルーティングテーブル１５の内容に沿って、受信したパケット１８にこのパケット１８の受信側であるＳＧＳＮ装置２（後述する）を示したＩＰヘッダ、ＧＴＰヘッダ、ＵＤＰ（Ｕｓｅｒ  Ｄａｔａｇｒａｍ  Ｐｒｏｔｏｃｏｌ）ヘッダを付加し、ＧＴＰトンネル上を転送する（ステップＳ５）。
【００４９】
一方、該当するルーティングテーブル１５が存在しない場合は（ステップＳ３にて“Ｎｏ”の場合）、本発明の対象外であり処理は終了となる。
【００５０】
これにより、パケットルーティングの処理が完了する。
【００５１】
次に、図５を参照しながら同ゲートウエイ装置の運用系から予備系への切り替え処理の一例について説明する。
【００５２】
運用系パケット処理装置９に装置故障等の障害が発生する（ステップＳ１１）。
【００５３】
次に、運用系パケット処理装置９からパケット管理装置１２へ障害通知を伝送路１７経由で送信する（ステップＳ１２）。
【００５４】
次に、パケット管理装置１２は障害通知を受信すると、ルーティングテーブル１５の参照先を予備系パケット処理装置１０に変更する（ステップＳ１３）。
【００５５】
次に、予備系パケット処理装置１０はパケット管理装置１２にアクセスし、障害となった運用系パケット処理装置９が参照していたルーティングテーブル１５を参照する（ステップＳ１４）。
【００５６】
これにより、系の切り替え処理が完了する。
【００５７】
以上説明したように、本発明の第１実施形態によれば、以下に示すような効果を奏する。
【００５８】
第１の効果：関連技術では各々のＧＧＳＮユーザプレーンパケット処理装置１１１にパケット管理部２０を備えていた（図８参照）。
【００５９】
一方、本発明の第１実施形態ではそのパケット管理部２０を図２に示すパケット管理装置１２に集約し、ルーティングテーブル１５を一元管理する。
【００６０】
これにより、装置故障等の障害発生時に、予備系パケット処理装置１０はルーティングテーブル１５のパケット処理装置の参照先を予備系パケット処理装置１０に変更するだけで、系切り替え処理を短時間で行うことが可能となる。
【００６１】
したがって、本発明の第１実施形態によれば、高信頼度な冗長構成方法を提供し、ゲートウエイ装置１の処理能力を関連技術よりも高めることが可能となる。
【００６２】
第２の効果：上記構成により、ゲートウエイ装置１としてルーティングテーブル１５に割り当てていたメモリの使用量を関連技術よりも少なくすることができ、これにより、ゲートウエイ装置１の小型化が可能となる。
【００６３】
第３の効果：本発明の第１実施形態では関連技術（図８参照）のＧＧＳＮユーザプレーンパケット処理装置１１１からパケット管理部２０を分離した。
【００６４】
これにより、運用系パケット処理装置９および予備系パケット処理装置１０の処理はパケット転送に特化するので、トラフィックの増加に応じてパケット処理装置を柔軟に拡張することができ、ゲートウエイ装置１あたりのパケット転送のスループットを関連技術よりも増加させることが可能となる。
【００６５】
次に、本発明の第２実施形態について説明する。図６は本発明に係るゲートウエイ装置の第２実施形態の構成図である。なお、同図において図２と同様の構成部分については同様の番号を付し、その説明を省略する。
【００６６】
第２実施形態ではＮ＋１（Ｎは正の整数）重化方式の冗長構成についてさらに工夫している。
【００６７】
図６を参照すると、第２実施形態ではｎ（ｎは２以上の整数）個の運用系パケット処理装置９，・・・ｎを含んでいる。
【００６８】
その他の構成は図２に示す第１実施形態と同様である。また、運用系パケット処理装置９，・・・ｎの動作も図２の運用系パケット処理装置９と同様である。
【００６９】
したがって、本発明の第２実施形態によれば、運用系パケット処理装置が複数個で構成される場合でも、１個で構成される場合と同様に、装置故障等の障害発生時に、予備系パケット処理装置１０はルーティングテーブル１５のパケット処理装置の参照先を予備系パケット処理装置１０に変更するだけで、系切り替え処理を短時間で行うことが可能となる。
【００７０】
すなわち、本発明の第２実施形態によれば、高信頼度な冗長構成方法を提供し、ゲートウエイ装置１の処理能力を関連技術よりも高めることが可能となる。
【００７１】
次に、本発明の第３実施形態について説明する。図７は本発明に係る通信システムの一例の構成図である。なお、同図において図２と同様の構成部分については同様の番号を付し、その説明を省略する。
【００７２】
同図を参照すると、本発明に係る通信システムの一例は、携帯端末５と、無線ネットワーク４と、サービング装置（一例として、ＳＧＳＮ装置）２と、ゲートウエイ装置（一例として、ＧＧＳＮ装置）１と、コアネットワーク（一例として、インターネット網）３とを含んで構成される。
【００７３】
図７に示すゲートウエイ装置（ＧＧＳＮ装置）１は図２に示すゲートウエイ装置１と同様の構成を有しており、したがって動作も同様である。
【００７４】
図７を参照すると、ゲートウエイ装置（ＧＧＳＮ装置）１はＧｉ６およびＧｎ７インタフェースを備えており、コアネットワーク（インターネット網）３およびサービング装置（ＳＧＳＮ装置）２と接続される。
【００７５】
ゲートウエイ装置（ＧＧＳＮ装置）１はコアネットワーク（インターネット網）３およびサービング装置（ＳＧＳＮ装置）２間のパケット１８の転送を行う。
【００７６】
Ｇｉ６インタフェースはコアネットワーク（インターネット網）３と接続されるインタフェースであり、Ｇｎ７インタフェースはサービング装置（ＳＧＳＮ装置）２と接続されるインタフェースである。
【００７７】
この通信システムでは、Ｇｉ６インタフェースから入力される下り方向のパケット１８をＧｎ７インタフェースへ転送し、Ｇｎ７インタフェースから入力される上り方向（無線ネットワーク４からコアネットワーク（インターネット網）３方向）のパケット１８をＧｉ６インタフェースへ転送する。
【００７８】
サービング装置（ＳＧＳＮ装置）２は無線ネットワーク４との接続を制御し、携帯端末５とコアネットワーク（インターネット網）３との接続制御を行う。
【００７９】
以上説明したように、本発明の第３実施形態によれば、通信システムの構成に第１および第２実施形態で述べたゲートウエイ装置１を含むため、第１および第２実施形態の場合と同様に、障害発生時の予備系ＧＧＳＮユーザプレーンパケット処理装置への切り替え処理時間を関連技術よりも短縮し、処理能力を関連技術よりも高めることが可能となる。
【図面の簡単な説明】
【００８０】
【図１】本発明の構成の概要を示す図である。
【図２】本発明に係るゲートウエイ装置の第１実施形態の構成図である。
【図３】本発明に係るゲートウエイ装置のルーティングテーブルの一例の構成図である。
【図４】本発明に係るゲートウエイ装置の動作の一例を示すフローチャートである。
【図５】同装置の運用系から予備系への切り替え処理の一例を示すフローチャートである。
【図６】本発明に係るゲートウエイ装置の第２実施形態の構成図である。
【図７】本発明に係る通信システムの一例の構成図である。
【図８】本発明に関連するゲートウエイ装置の一例の構成図である。
【符号の説明】
【００８１】
１  ゲートウエイ装置（ＧＧＳＮ装置）
２  サービング装置（ＳＧＳＮ装置）
３  コアネットワーク（インターネット網）
４  無線ネットワーク
５  携帯端末
９，ｎ  運用系パケット処理装置（運用系ＧＧＳＮユーザプレーンパケット処理装置）
１０  予備系パケット処理装置（予備系ＧＧＳＮユーザプレーンパケット処理装置）
１１  パケット転送部
１２  パケット管理装置（ＧＧＳＮパケット管理装置）
１３  運用系パケット管理部
１４  予備系パケット管理部
１５  ルーティングテーブル
１６  ＧＧＳＮ呼処理装置
１７  伝送路（シリアルインタフェース）
１８  パケット（ＩＰパケット）
２５  パケット処理装置本体
２６，２７  パケット転送部
３１  伝送路
Ｇｉ６，Ｇｎ７  インタフェース
【図１】
2009278297.tif 000003
【図２】
2009278297.tif 000004
【図３】
2009278297.tif 000005
【図４】
2009278297.tif 000006
【図５】
2009278297.tif 000007
【図６】
2009278297.tif 000008
【図７】
2009278297.tif 000009
【図８】
2009278297.tif 000010